(57)【要約】【課題】  ユーザによって選択された受信するべきチャンネルの映像の画質を低下させることなく、隣接チャンネルによる干渉を防止することができるテレビ受信機を提供することである。【解決手段】テレビ受信機３０は、チューナ３とトラップ手段６、７とトラップ制御部２０と隣接チャンネル判別処理部１８とトラップ用スイッチ手段１、２と外部メモリ２１を備えている。外部メモリ２１には、テレビ受信機３０により受信可能に存在するチャンネルが記憶されている。  隣接チャンネル判別処理部１８は、ユーザにより選択されたチャンネルに隣接するチャンネルが受信可能に存在するか否か判別する。隣接するチャンネルが存在する場合には、トラップ制御部２０が隣接するチャンネルをトラップ手段６、７に設定する。また、トラップ制御部２０は、トラップ用スイッチ手段１、２をオン、オフする制御を行う。【選択図】  図１
2005260865.tif 000002
【特許請求の範囲】
【請求項１】
受信可能なチャンネルのチャンネルナンバー及び周波数を記憶するとともに、前記受信可能なチャンネルのうちユーザの操作によって選択された受信するべきチャンネルが設定されるチューナを備えるテレビ受信機であって、
設定された周波数のテレビ放送信号をトラップするトラップ手段と、
トラップするべきテレビ放送信号の周波数を前記トラップ手段に設定するトラップ周波数設定手段と、
受信するべきチャンネルがユーザによって選択されると、この受信するべきチャンネルに隣接する隣接チャンネルが前記受信可能なチャンネル中に存在するか否か判別するとともに、隣接チャンネルが存在する場合に該隣接チャンネルの周波数を前記トラップ周波数設定手段に設定する隣接チャンネル判別処理手段と、
チューナより出力されたテレビ放送信号を前記トラップ手段に導くためのトラップ回路に設けられたトラップ用スイッチ手段と、
前記トラップ用スイッチ手段をオン、オフするためのスイッチ制御手段とを備え、
前記受信するべきチャンネルがユーザによって選択されると、前記隣接チャンネル判別処理手段が隣接チャンネルが存在するか否か判別し、
前記隣接チャンネルが存在すると判別された場合に、前記トラップ周波数設定手段が隣接チャンネルの周波数を前記トラップ手段に設定するとともに、前記スイッチ制御手段が前記トラップ用スイッチ手段をオンさせることを特徴とするテレビ受信機。
【請求項２】
前記隣接チャンネル判別処理手段は、前記受信するべきチャンネルの周波数より低周波数側に隣接する低周波数側隣接チャンネル及び前記受信するべきチャンネルの周波数より高周波数側に隣接する高周波数側隣接チャンネルを判別し、
前記トラップ手段として、前記低周波数側隣接チャンネルのテレビ放送信号をトラップする低周波数側トラップ手段と前記高周波数側隣接チャンネルのテレビ放送信号をトラップする高周波数側トラップ手段とが設けられており、
前記トラップ回路として、前記チューナより出力されたテレビ放送信号を低周波数側トラップ手段に導くための第一のトラップ回路とチューナより出力されたテレビ放送信号を高周波数側トラップ手段に導くための第二のトラップ回路とが設けられており、
前記第一のトラップ回路には第一のトラップ用スイッチ手段が設けられ、前記第二のトラップ回路には第二のトラップ用スイッチ手段が設けられており、
前記受信するべきチャンネルがユーザによって選択されると、前記隣接チャンネル判別処理手段が低周波数側隣接チャンネル及び高周波数側隣接チャンネルが存在するか否か判別し、
前記低周波数側隣接チャンネルが存在すると判別された場合には、前記隣接チャンネル判別処理手段が前記トラップ周波数設定手段に前記低周波数側隣接チャンネルを設定し、前記トラップ周波数設定手段が前記低周波数側トラップ手段に低周波数側隣接チャンネルの周波数を設定するとともに、前記スイッチ制御手段が前記第一のトラップ用スイッチ手段をオンさせるようにされており、
高周波数側隣接チャンネルが存在すると判別された場合には、前記隣接チャンネル判別処理手段が前記トラップ周波数設定手段に前記高周波数側隣接チャンネルを設定し、前記トラップ周波数設定手段が前記高周波数側トラップ手段に高周波数側隣接チャンネルの周波数を設定するとともに、前記スイッチ制御手段が前記第二のトラップ用スイッチ手段をオンさせるようにされており、
高周波数側隣接チャンネル及び低周波数側隣接チャンネルが存在すると判別された場合には、前記隣接チャンネル判別処理手段が前記トラップ周波数設定手段に前記低周波数側隣接チャンネル及び高周波数側隣接チャンネルを設定し、前記トラップ周波数設定手段が前記低周波数側トラップ手段に低周波数側隣接チャンネルの周波数を設定し、前記トラップ周波数設定手段が前記高周波数側トラップ手段に高周波数側隣接チャンネルの周波数を設定するとともに、前記スイッチ制御手段が前記第一のトラップ用スイッチ手段及び第二のトラップ用スイッチ手段をオンさせるようにされている請求項１に記載のテレビ受信機。
【請求項３】
前記低周波数側隣接チャンネルの周波数が低周波数側隣接チャンネルの音声信号の周波数であり、前記高周波数側隣接チャンネルの周波数が高周波数側隣接チャンネルの映像信号の周波数である請求項２に記載のテレビ受信機。
【請求項４】
前記受信可能なチャンネルのチャンネルナンバー及びその周波数の記憶を、受信可能なチャンネルを設定するための処理であるチャンネルのプリセットによって行うようにされた請求項１乃至３のいずれかに記載のテレビ受信機。
【請求項５】
前記チャンネルのプリセットにより、受信可能なチャンネルに関するチャンネルナンバー及びその周波数を含むデータからなるチャンネルマップが形成されるようにされており、
前記隣接チャンネル判別処理手段が前記チャンネルマップを参照することによって前記隣接チャンネルが存在するか否か判別するようにされた請求項１乃至４のいずれかに記載のテレビ受信機。
【請求項６】
前記トラップ用スイッチ手段が、オン信号を与えることによってオン状態に制御されるトランジスタによって構成されており、
前記スイッチ制御手段がオン信号を出力すると、前記トラップ用スイッチ手段のトランジスタがオンされる、請求項１乃至５のいずれかに記載のテレビ受信機。
【発明の詳細な説明】
【技術分野】
【０００１】
本発明は、受信するべきチャンネルに対する隣接チャンネルからの干渉を防止することができるテレビ受信機に関する。
【背景技術】
【０００２】
テレビ受信機は、これを使用する使用者（以下、「ユーザ」という）により選択された特定のチャンネルのテレビ放送を選局受信するチューナを備えている。また、テレビ受信機には一般にＳＡＷフィルタ等が設けられている。
【０００３】
このＳＡＷフィルタ等により、チューナが受信したテレビ放送信号のうち、ユーザにより選択されたチャンネル以外の隣接チャンネルの放送信号が除去されるようにされている。これにより、ユーザが受信するべく選択したチャンネルに対する隣接チャンネルによる干渉が防止されるようにされている。
【０００４】
ここで、前記ＳＡＷフィルタによっては隣接チャンネルの信号を完全に除去することができず、映像出力に乱れを生ずることがあった。そして、従来のテレビ受信機には、このＳＡＷフィルタの能力の限界を補って隣接チャンネルによる干渉を防ぐべく、チューナに対するＡＧＣ（Auto Gain Control（オートゲインコントロール））機能を利用するものがある（例えば、特許文献１参照）。
【０００５】
このＡＧＣ機能を利用して隣接チャンネルによる干渉を防止するテレビ受信機では、受信するべく選択されたチャンネルに隣接するチャンネルが受信可能に存在している場合、チューナの出力利得を低下させるように制御する。これにより、受信するべきチャンネルに対してノイズとして作用する隣接チャンネルの放送信号のレベルは低下する。
【特許文献１】特開平１１−２４３３２２号公報
【発明の開示】
【発明が解決しようとする課題】
【０００６】
しかし、ＡＧＣ機能を利用して隣接チャンネルによる干渉を防ぐようにした従来のテレビ受信機では、チューナの出力利得を低下させると、受信するべきチャンネルの放送信号に対する利得も低下した。これにより、受信するべきチャンネルの映像信号のレベルも低下し、映像の画質の低下を招くことがあった。
【０００７】
そこで、本発明は、受信するべきチャンネルの映像の画質を低下させることなく、隣接チャンネルによる干渉を防止することができるテレビ受信機を提供することを目的とする。
【課題を解決するための手段】
【０００８】
上記課題を解決するため、本発明は、受信可能なチャンネルのチャンネルナンバー及び周波数を記憶するとともに、前記受信可能なチャンネルのうちユーザの操作によって選択された受信するべきチャンネルが設定されるチューナを備えるテレビ受信機であって、
設定された周波数のテレビ放送信号をトラップするトラップ手段と、
トラップするべきテレビ放送信号の周波数を前記トラップ手段に設定するトラップ周波数設定手段と、
受信するべきチャンネルがユーザによって選択されると、この受信するべきチャンネルに隣接する隣接チャンネルが前記受信可能なチャンネル中に存在するか否か判別するとともに、隣接チャンネルが存在する場合に該隣接チャンネルの周波数を前記トラップ周波数設定手段に設定する隣接チャンネル判別処理手段と、
チューナより出力されたテレビ放送信号を前記トラップ手段に導くためのトラップ回路に設けられたトラップ用スイッチ手段と、
前記トラップ用スイッチ手段をオン、オフするためのスイッチ制御手段とを備え、
前記受信するべきチャンネルがユーザによって選択されると、前記隣接チャンネル判別処理手段が隣接チャンネルが存在するか否か判別し、
前記隣接チャンネルが存在すると判別された場合に、前記トラップ周波数設定手段が隣接チャンネルの周波数を前記トラップ手段に設定するとともに、前記スイッチ制御手段が前記トラップ用スイッチ手段をオンさせることを特徴とするテレビ受信機である（請求項１）。
【０００９】
本発明のテレビ受信機によると、ユーザの操作により選択された受信するべきチャンネルに隣接する隣接チャンネルが受信可能に存在する場合には、この隣接チャンネルの存在は隣接チャンネル判別処理手段によって判別される。
【００１０】
そして、隣接チャンネルが存在する場合、トラップ手段には隣接チャンネルの周波数が設定され、前記スイッチ制御手段は前記トラップ用スイッチ手段をオンさせる。そして、前記チューナを出力された隣接チャンネルの放送信号は前記トラップ手段に導かれてトラップされる。これにより、前記受信するべきチャンネルに対する隣接チャンネルからの干渉を防ぐことができる。
【００１１】
また、前記隣接チャンネルが存在しない場合には、この隣接チャンネルが存在しないことは前記隣接チャンネル判別処理手段によって判別される。そして、前記隣接チャンネルが存在しない場合には、前記トラップ用スイッチ手段はオンされず、前記トラップ手段は放送信号をトラップする動作を行わない。
【００１２】
このように、本発明のテレビ受信機によると、前記隣接チャンネルが存在する場合にのみ前記隣接チャンネルの放送信号を前記トラップ手段によりトラップするように制御を行う。
【００１３】
これにより、不要にトラップ手段を動作させることを防ぐことができる。これにより、受信するべきチャンネルのテレビ放送の映像や音声の質の低下を防ぐことができる。
【００１４】
また、前記テレビ受信機について、前記隣接チャンネル判別処理手段は、前記受信するべきチャンネルの周波数より低周波数側に隣接する低周波数側隣接チャンネル及び前記受信するべきチャンネルの周波数より高周波数側に隣接する高周波数側隣接チャンネルを判別し、
前記トラップ手段として、前記低周波数側隣接チャンネルのテレビ放送信号をトラップする低周波数側トラップ手段と前記高周波数側隣接チャンネルのテレビ放送信号をトラップする高周波数側トラップ手段とが設けられており、
前記トラップ回路として、前記チューナより出力されたテレビ放送信号を低周波数側トラップ手段に導くための第一のトラップ回路とチューナより出力されたテレビ放送信号を高周波数側トラップ手段に導くための第二のトラップ回路とが設けられており、
前記第一のトラップ回路には第一のトラップ用スイッチ手段が設けられ、前記第二のトラップ回路には第二のトラップ用スイッチ手段が設けられており、
前記受信するべきチャンネルがユーザによって選択されると、前記隣接チャンネル判別処理手段が高周波数側隣接チャンネル及び低周波数側隣接チャンネルが存在するか否か判別し、
低周波数側隣接チャンネルが存在すると判別された場合には、前記隣接チャンネル判別処理手段が前記トラップ周波数設定手段に前記低周波数側隣接チャンネルを設定し、前記トラップ周波数設定手段が前記低周波数側トラップ手段に低周波数側隣接チャンネルの周波数を設定するとともに、前記スイッチ制御手段が前記第一のトラップ用スイッチ手段をオンさせるようにされており、
高周波数側隣接チャンネルが存在すると判別された場合には、前記隣接チャンネル判別処理手段が前記トラップ周波数設定手段に前記高周波数側隣接チャンネルを設定し、前記トラップ周波数設定手段が前記高周波数側トラップ手段に高周波数側隣接チャンネルの周波数を設定するとともに、前記スイッチ制御手段が前記第二のトラップ用スイッチ手段をオンさせるようにされており、
低周波数側隣接チャンネル及び高周波数側隣接チャンネルが存在すると判別された場合には、前記隣接チャンネル判別処理手段が前記トラップ周波数設定手段に前記低周波数側隣接チャンネル及び高周波数側隣接チャンネルを設定し、前記トラップ周波数設定手段が前記低周波数側トラップ手段に低周波数側隣接チャンネルの周波数を設定し、前記トラップ周波数設定手段が前記高周波数側トラップ手段に高周波数側隣接チャンネルの周波数を設定するとともに、前記スイッチ制御手段が前記第一のトラップ用スイッチ手段及び第二のトラップ用スイッチ手段をオンさせるようにすることができる（請求項２）。
【００１５】
この発明のテレビ受信機にあっては、前記隣接チャンネル判別処理手段は、前記低周波数側隣接チャンネル及び高周波数側隣接チャンネルの存在を判別する。
【００１６】
そして、トラップ周波数設定手段は、低周波数側隣接チャンネル及び高周波数側隣接チャンネルの存在の状況に応じて、低周波数側トラップ手段及び高周波数側トラップ手段に隣接チャンネルの周波数を設定する。そして、前記スイッチ制御手段は、前記隣接チャンネルの存在の状況に応じて、前記第一のトラップ用スイッチ手段及び第二のトラップ用スイッチ手段をオンさせる。
【００１７】
これにより、低周波数側隣接チャンネル及び高周波数側隣接チャンネルの存在の状況に応じて、低周波数側トラップ手段及び高周波数側トラップ手段を動作させることができる。
【００１８】
また、前記テレビ受信機について、前記低周波数側隣接チャンネルの周波数を低周波数側隣接チャンネルの音声信号の周波数とし、前記高周波数側隣接チャンネルの周波数を高周波数側隣接チャンネルの映像信号の周波数とすることができる（請求項３）。
【００１９】
この発明によると、低周波数側隣接チャンネルが存在する場合には、低周波数側隣接チャンネルの音声信号をトラップすることができる。また、高周波数側隣接チャンネルが存在する場合には、高周波数側隣接チャンネルの映像信号をトラップすることができる。
【００２０】
これにより、受信するべきチャンネルの放送信号に対して低周波数側隣接チャンネルより干渉し易い低周波数側隣接チャンネルの音声信号を除去することができる。また、受信するべきチャンネルの放送信号に対して高周波数側隣接チャンネルより干渉し易い高周波数側隣接チャンネルの映像信号を除去することができる。
【００２１】
また、前記テレビ受信機について、前記受信可能なチャンネルのチャンネルナンバー及びその周波数の記憶を、受信可能なチャンネルを設定するための処理であるチャンネルのプリセットによって行うことができる（請求項４）。
【００２２】
この発明によると、前記受信可能なチャンネルのチャンネルナンバー及びその周波数の記憶を、チャンネルのプリセットにより行うことができる。これにより、受信可能なチャンネルのチャンネルナンバー及び周波数を記憶させるための処理が容易である。
【００２３】
また、前記テレビ受信機について、前記チャンネルのプリセットにより、受信可能なチャンネルに関するチャンネルナンバー及びその周波数を含むデータからなるチャンネルマップが形成されるようにし、
前記隣接チャンネル判別処理手段が前記チャンネルマップを参照することによって前記隣接チャンネルが存在するか否か判別するようにすることができる（請求項５）。これにより、前記隣接チャンネル判別処理手段が前記隣接チャンネルの存在を判別するにあたって、その処理を簡易にすることができる。
【００２４】
また、前記トラップ用スイッチ手段を、オン信号を与えることによってオン状態に制御されるトランジスタによって構成し、
前記スイッチ制御手段がオン信号を出力すると、前記トラップ用スイッチ手段のトランジスタがオンされるようにすることができる（請求項６）。
【００２５】
この発明によると、トラップ用スイッチ手段をトランジスタによって構成し、該トランジスタをオン信号を与えることによってオンさせることができる。これにより、トラップ用スイッチ手段の構成を簡潔にすることができ、そのオン、オフの制御を簡易に行うこともできる。
【発明の効果】
【００２６】
本発明は、以上説明したような形態で実施され、以下に記載するような効果を奏する。本発明のテレビ受信機によると、ユーザにより選択された受信するべきチャンネルに対する隣接チャンネルの存在の状況を判別し、その状況に応じてトラップ手段を動作させることができる。
【００２７】
これにより、トラップ手段を必要な場合に限って動作させることができ、トラップ手段を不要に動作させることがないので、受信するべきチャンネルの映像や音声の質の低下を招くことがない。
【発明を実施するための最良の形態】
【００２８】
本発明の実施の形態について、図１乃至図５に基づいて説明する。図１は、本発明の一実施形態であるテレビ受信機３０の概略構成を示すブロック図である。テレビ受信機３０は、チューナ３と低周波数側トラップ手段６と高周波数側トラップ手段７と第一のトラップ回路１１と第二のトラップ回路１２と制御用マイコン２５を備えている。
【００２９】
このテレビ受信機３０は、図１に図示されない操作用リモコンを備えている。このテレビ受信機３０を使用する使用者（以下、「ユーザ」という。）は、この操作用リモコンを用いてテレビ受信機３０の操作を行うことができる。
【００３０】
この操作用リモコンには、テレビ受信機３０を操作するための各種の操作キーが設けられている。これらの操作キーには、ユーザが受信を希望するチャンネルを選局するためのチャンネル選択キーが設けられている。
【００３１】
この操作用リモコンの操作キーが操作されると、操作されたキーの種類や操作内容は後に説明する制御用マイコン２５によって検出される。
【００３２】
また、このテレビ受信機３０は図示されないテレビモニタを備えており、受信したチャンネルのテレビ放送の内容がテレビモニタに出力される。このテレビモニタは、映像を出力するテレビ画面と音声を出力するスピーカとを備えている。
【００３３】
チューナ３はアンテナを介してテレビ放送電波を選局受信する。チューナ３には、ユーザにより選局された受信するべきチャンネルが設定される。ユーザが操作用リモコンにより視聴したいチャンネルを選択する操作を行うと、選択されたチャンネルは制御用マイコン２５によって検出され、制御用マイコン２５は選択されたチャンネル（以下、「選局チャンネル」ともいう）をチューナ３に設定する処理を行う。
【００３４】
チューナ３は、テレビ放送電波に対する一定の受信特性を備えている。即ち、チューナ３は、チューナ３に設定された選局チャンネルの中心周波数において受信感度が最大となり、この中心周波数の両側の周波数においてある程度の受信感度が残存する受信特性を示す。
【００３５】
このチューナ３の受信特性により、選局チャンネルに隣接するチャンネルが受信可能に存在する場合には、この隣接チャンネルの放送信号もチューナ３によって受信される。
【００３６】
ＳＡＷフィルタ（Surface Acoustic Wave Filter（表面弾性波フィルタ））８は、チューナ３から入力されたテレビ放送信号より不要な信号を除去し、選局チャンネルの放送信号を選別して出力するフィルタリング処理を行う。
【００３７】
ＳＡＷフィルタ８を通過したテレビ放送信号は、図１に図示されない信号処理回路に入力される。そして、テレビ放送信号中の映像信号及び音声信号は各々に対して設けられる信号処理回路により処理され、選局チャンネルのテレビ放送の映像及び音声がテレビモニタに出力される。
【００３８】
低周波数側トラップ手段６は、選局チャンネルの低周波数側に隣接する低周波数側隣接チャンネルの放送信号をトラップする。低周波数側トラップ手段６には、トラップするべき放送信号の周波数が後に説明する制御用マイコン２５により設定される。
【００３９】
低周波数側トラップ手段６は、第一のトラップ回路１１を介してチューナ３の出力側に接続されている。チューナ３より出力されたテレビ放送信号のうちトラップ手段６によってトラップされるべき信号成分は、第一のトラップ回路１１を通って低周波数側トラップ手段６に導かれる。
【００４０】
高周波数側トラップ手段７は、選局チャンネルの高周波数側に隣接する高周波数側隣接チャンネルの放送信号をトラップする。高周波数側トラップ手段７には、トラップするべき放送信号の周波数が後に説明する制御用マイコン２５より設定される。
【００４１】
高周波数側トラップ手段７は、第二のトラップ回路１２を介してチューナ３の出力側に接続されている。チューナ３より出力されたテレビ放送信号のうちトラップ手段７によってトラップされるべき信号成分は、第二のトラップ回路１２を通って高周波数側トラップ手段７に導かれる。
【００４２】
第一のトラップ回路１１には、第一のトラップ用スイッチ手段１が設けられている。第一のトラップ用スイッチ手段１がオンされることにより、チューナ３の出力側と低周波数側トラップ手段６とが導通する。
【００４３】
第二のトラップ回路１２には、第二のトラップ用スイッチ手段２が設けられている。第二のトラップ用スイッチ手段２がオンされることにより、チューナ３の出力側と高周波数側トラップ手段７とが導通する。
【００４４】
第一のトラップ用スイッチ手段１及び第二のトラップ用スイッチ手段２は、後に説明する制御用マイコン２５によりオン、オフが制御される。
【００４５】
このテレビ受信機３０にあっては、第一のトラップ用スイッチ手段１及び第二のトラップ用スイッチ手段２は、トランジスタによって構成されている。そして、これらスイッチ手段１、２は、トランジスタをオン状態とするオン信号（論理ハイ”Ｈ”）が制御用マイコン２５より入力されると、オンされる。
【００４６】
第一のトラップ用スイッチ手段１及び第二のトラップ用スイッチ手段２をトランジスタにより構成すると、これらスイッチ手段のオン、オフの制御を容易にできる。
【００４７】
なお、これらスイッチ手段１、２は、トランジスタにより構成する他、制御用マイコン２５によってオン、オフの制御が可能な機械式マイクロスイッチによって構成することもできる。
【００４８】
制御用マイコン２５はテレビ受信機３０の制御を行う。制御用マイコン２５は、ＣＰＵ（中央処理装置）、ＲＯＭ（読み出し専用メモリ）、及びＲＡＭ（読み書き可能メモリ）を備えている。また、制御用マイコン２５には、外部メモリ２１が接続されている。この外部メモリ２１は、Ｅ２ＰＲＯＭ等の不揮発性メモリにより構成することができる。
【００４９】
制御用マイコン２５には、制御部１５、選局処理部１７、隣接チャンネル判別処理部１８、チャンネル設定処理部１９及びトラップ制御部２０が形成されている。制御用マイコン２５に形成されたこれらの各部は、ＲＯＭ内の演算処理が可能なプログラムによってモジュール化されている。
【００５０】
制御部１５は、制御用マイコン２５の動作の制御を行う。制御部１５が制御用マイコン２５の各部を制御することにより、制御用マイコン２５がテレビ受信機３０の動作を制御する。
【００５１】
選局処理部１７は、テレビ受信機３０が受信するチャンネルの選局に関する処理を行う。ユーザが操作用リモコンにより受信するべきチャンネルを選択する操作を行うと、この選択されたチャンネルを特定するデータが選局処理部１７に入力される。
【００５２】
選局処理部１７は、選択された選局チャンネルを特定するデータを図示されない信号処理経路を介してチューナ３へ出力する。また、選局処理部１７は、選局チャンネルを特定するデータを隣接チャンネル判別処理部１８へ出力する。
【００５３】
隣接チャンネル判別処理部１８は、選局チャンネルに隣接するチャンネルが受信可能に存在するか否か判別する処理を行う。このテレビ受信機３０によって受信することが可能なチャンネルに関する各種の情報は、外部メモリ２１に記憶される。
【００５４】
隣接チャンネル判別処理部１８は、後に説明するチャンネルマップに記録されるデータを参照することにより、受信可能なチャンネル中に選局チャンネルに隣接する隣接チャンネルが存在するか否か判別する。隣接チャンネル判別処理部１８がチャンネルマップを参照して隣接チャンネルの存在を判別すると、該判別のための処理を簡易にすることができる。
【００５５】
また、隣接チャンネル判別処理部１８は、隣接チャンネルが存在する場合に、トラップするべき隣接チャンネルの放送信号の周波数をチャンネルマップから読み出す。
【００５６】
そして、隣接チャンネル判別処理部１８は、隣接チャンネルが存在することを判別した場合に、隣接チャンネル検出信号をトラップ制御部２０に出力しトラップ制御部２０を制御する。
【００５７】
隣接チャンネル判別処理部１８は、選局チャンネルに対する低周波数側に隣接する低周波数側隣接チャンネルが存在する場合には、第一の隣接チャンネル検出信号をトラップ制御部２０に出力し、低周波数側隣接チャンネルのトラップするべきテレビ放送信号の周波数をトラップ制御部２０に設定する。
【００５８】
この第一の隣接チャンネル検出信号は、低周波数側隣接チャンネルに関するデータを含んでおり、このデータとして低周波数側隣接チャンネルの音声信号の周波数のデータを含んでいる。
【００５９】
また、隣接チャンネル判別処理部１８は、隣接チャンネルに対する高周波数側に隣接する高周波数側隣接チャンネルが存在する場合には、第二の隣接チャンネル検出信号をトラップ制御部２０に出力し、高周波数側隣接チャンネルのトラップするべき放送信号の周波数をトラップ制御部２０に設定する。
【００６０】
この第二の隣接チャンネル検出信号は、高周波数側隣接チャンネルに関するデータを含んでおり、このデータとして高周波数側隣接チャンネルの映像信号の周波数のデータを含んでいる。
【００６１】
この隣接チャンネル判別処理部１８は、選局チャンネルに隣接するチャンネルが存在するか否か判別する隣接チャンネル判別処理手段にあたる。
【００６２】
チャンネル設定処理部１９は、このテレビ受信機３０により受信することが可能なチャンネルを記憶し設定する処理であるチャンネルのプリセットのための処理を行う。
【００６３】
このプリセットは以下のように実行される。テレビ受信機３０のユーザがチャンネルをプリセットするための操作を行うと、この操作がされたことが制御用マイコン２５によって検出される。
【００６４】
そして、チャンネル設定処理部１９は、チャンネル選択キーによって選択することが可能なチャンネルとして用意されているチャンネルを順次にチューナ３に設定し、チューナに設定されたチャンネルが受信可能に存在するか否かを順次に検出する。
【００６５】
そして、チャンネル設定処理部１９は、受信可能であることが検出されたチャンネルについて、各種の情報を外部メモリ２１に記憶させる。チャンネル設定処理部１９がチャンネルのプリセットを行うことにより、外部メモリ２１にはチャンネルマップが形成される。このチャンネルマップには、受信可能な全てのチャンネルについて、チャンネルナンバー及び周波数を含む各種の情報が記録される。
【００６６】
トラップ制御部２０は、低周波数側トラップ手段６及び高周波数側トラップ手段７にトラップするべきテレビ放送信号の周波数を設定する。また、トラップ制御部２０は、第一のトラップ用スイッチ手段１及び第二のトラップ用スイッチ手段２のオン、オフの制御を行う。
【００６７】
トラップ制御部２０は、隣接チャンネル判別処理部１８より第一の隣接チャンネル検出信号が入力されると、低周波数側隣接チャンネルの音声信号の周波数を低周波数側トラップ手段６に設定し、第一のトラップ用スイッチ手段１にオン信号を出力する。これにより、第一のトラップ用スイッチ手段１はオンされ、チューナ３より出力された放送信号のうち低周波数側隣接チャンネルの音声信号は、低周波数側トラップ手段６によりトラップされる。
【００６８】
また、トラップ制御部２０は、隣接チャンネル判別処理部１８より第二の隣接チャンネル検出信号が入力されると、高周波数側隣接チャンネルの映像信号の周波数を高周波数側トラップ手段７に設定し、第二のトラップ用スイッチ手段２にオン信号を出力する。これにより、第二のトラップ用スイッチ手段２はオンされ、チューナ３より出力された放送信号のうち高周波数側隣接チャンネルの映像信号は、高周波数側トラップ手段７によりトラップされる。
【００６９】
このトラップ制御部２０は、トラップ手段６、７にトラップするべきテレビ放送信号の周波数を設定するトラップ周波数設定手段にあたる。また、トラップ制御部２０は、トラップ用スイッチ手段１、２をオン、オフさせる制御を行うスイッチ制御手段にあたる。
【００７０】
次に、図２、図３を参酌し、外部メモリ２１に記憶されるデータについて説明する。図２は、チャンネルのプリセットにより外部メモリ２１に記憶されたチャンネルマップの例を示している。
【００７１】
チャンネルマップには、操作用リモコンのチャンネル選択キーの操作によって選択することが可能なチャンネルについて受信可能であるか否か記録されている。図２において、ＣＨ（チャンネル）の欄には、チャンネルに割り当てられたチャンネルナンバーが記録されている。
【００７２】
図２において、○はそのチャンネルについて放送局が存在すること、即ちチャンネルが受信可能に存在することを示している。一方、図２において、×はそのチャンネルについて放送局が存在しないこと、即ちチャンネルが受信可能に存在していないことを示している。この図２に示されるチャンネルマップでは、１、３、４、５、８、９、１０、及び１２の各チャンネルが受信可能に存在することが記録されている。
【００７３】
この図２に示されるチャンネルマップによると、１チャンネルには隣接チャンネルは存在しておらず、３チャンネルには高周波側隣接チャンネルとして４チャンネルが存在している。また、４チャンネルには、低周波数側隣接チャンネルとして３チャンネルが存在し、高周波数側隣接チャンネルとして５チャンネルが存在している。
【００７４】
また、８チャンネルには高周波数側隣接チャンネルとして９チャンネルが存在している。そして、９チャンネルには、低周波数側隣接チャンネルとして８チャンネルが存在し、高周波数側隣接チャンネルとして１０チャンネルが存在している。
【００７５】
このチャンネルマップには、図２に図示されない他のデータも記録されており、受信可能な各チャンネルについての中心周波数、映像信号の搬送周波数、及び音声信号の搬送周波数が記録されている。
【００７６】
図３は、チャンネルマップに記録された受信可能なチャンネルの周波数の一例を示している。図３は、図２に示されるチャンネルのうち、８、９、１０チャンネルの周波数を示している。
【００７７】
図３において、ｆｐは映像信号の周波数であり、ｆｓは音声信号の周波数である。図３に示されるように、９チャンネルについて、映像信号の周波数が１９９．２５ＭＨｚであり、音声信号の周波数が２０３．７５ＭＨｚである。そして、８チャンネルの音声信号の周波数が１９７．７５ＭＨｚであり、１０チャンネルの映像信号の周波数が２０５．２５ＭＨｚである。
【００７８】
このように、９チャンネルの映像信号の周波数に対して低周波数側隣接チャンネルである８チャンネルの音声信号の周波数が近接しており、９チャンネルの音声信号の周波数に対して高周波数側隣接チャンネルである１０チャンネルの映像信号の周波数が近接している。
【００７９】
これにより、９チャンネルの映像信号は８チャンネルの音声信号による干渉を受け易く、９チャンネルの映像は８チャンネルにより乱され易い。また、９チャンネルの音声信号は１０チャンネルの映像信号による干渉を受け易く、９チャンネルの音声は１０チャンネルにより乱され易い。
【００８０】
このテレビ受信機３０では、９チャンネルを受信する場合には、８チャンネルの音声信号を低周波数側トラップ手段６によってトラップし、１０チャンネルの映像信号を高周波数側トラップ手段７によってトラップできる。これにより、９チャンネルを受信する場合に、その映像や音声が８チャンネルの放送信号や１０チャンネルの放送信号によって乱されることを防ぐことができる。
【００８１】
次に、以上のトラップ手段６、７により隣接チャンネルの放送信号をトラップした場合の放送信号の波形について説明する。図４は、トラップ手段６、７により隣接チャンネルの放送信号をトラップする処理を行った場合の放送信号の波形を示す図である。
【００８２】
図４において、横方向は周波数に対応しており、図の左から右に進むに従って周波数が増加するように表している。また、図４において、縦方向は放送信号の強度に対応している。図の上方向に進むに従って信号の強度が増加するように表している。
【００８３】
図４において、ｆc0は選局チャンネルの中心周波数であり、ｆp0は選局チャンネルの映像信号の搬送周波数であり、ｆs0は選局チャンネルの音声信号の搬送周波数である。
【００８４】
また、図４において、ｆp1は低周波数側隣接チャンネルの映像信号の搬送周波数であり、ｆs1は低周波数側隣接チャンネルの音声信号の搬送周波数である。また、ｆp2は高周波数側隣接チャンネルの映像信号の搬送周波数であり、ｆs2は高周波数側隣接チャンネルの音声信号の搬送周波数である。
【００８５】
チューナ３より出力された放送信号のうち、図４に示されるように、低周波数側トラップ手段６により、周波数ｆs1により搬送される低周波数側隣接チャンネルの音声信号がトラップされる。
【００８６】
また、チューナ３より出力された放送信号のうち、図４に示されるように、高周波数側トラップ手段７により、周波数ｆp2により搬送される高周波数側隣接チャンネルの映像信号がトラップされる。
【００８７】
次に、以上に説明したテレビ受信機３０の動作の例について、図５を参酌しつつ説明する。図５は、テレビ受信機３０を動作させる手順の一例についてのフローチャートである。
【００８８】
テレビ受信機３０のユーザがテレビ受信機３０を電源オンし、操作用リモコンのチャンネル選択キーを操作して受信するべきチャンネルを選択し、チャンネルの選局を行う。このチャンネル選局が有ると（Ｓ１）、制御用マイコン２５は、選局されたチャンネルのチャンネルナンバー（チャンネル番号）の周波数データと選局チャンネルに対する隣接チャンネルの有無のデータを、外部メモリ２１から読み出す（Ｓ２）。
【００８９】
そして、選局チャンネルに隣接チャンネルが無い場合には（Ｓ３、ＮＯ）、制御用マイコン２５がトラップをオフするように制御する（Ｓ４）。即ち、制御用マイコン２５は、第一のトラップ用スイッチ手段１及び第二のトラップ用スイッチ手段２にオン信号を出力せず、低周波数側トラップ手段６及び高周波数側トラップ手段７にトラップするべき周波数を設定する処理を行わない。これにより、トラップ手段６、７は、チューナ３より出力された放送信号に対するトラップを行わない。
【００９０】
一方、選局チャンネルに隣接チャンネルが存在する場合には（Ｓ３、ＹＥＳ）、制御用マイコン２５がトラップをオンするように制御する（Ｓ５）。この場合には、制御用マイコン２５は、低周波数側隣接チャンネル及び／又は高周波数側隣接チャンネルの存在に対応させて、第一のトラップ用スイッチ手段１及び／又は第二のトラップ用スイッチ手段２にオン信号を出力する。
【００９１】
また、制御用マイコン２５は、低周波数側隣接チャンネル及び／又は高周波数側隣接チャンネルの存在に対応させて低周波数側トラップ手段６及び／又は高周波数側トラップ手段７にトラップするべきチャンネルの放送信号の周波数を設定する。
【００９２】
即ち、低周波数側隣接チャンネルが存在する場合には、制御用マイコン２５は、低周波数側トラップ手段６に低周波数側隣接チャンネルの周波数を設定する。また、高周波数側隣接チャンネルが存在する場合には、制御用マイコン２５は、高周波数側トラップ手段７に高周波数側隣接チャンネルの周波数を設定する。
【００９３】
また、低周波数側隣接チャンネル及び高周波数側隣接チャンネルが存在する場合には、制御用マイコン２５は、低周波数側トラップ手段６に低周波数側隣接チャンネルの周波数を設定するとともに、高周波数側トラップ手段７に高周波数側隣接チャンネルの周波数を設定する。
【００９４】
以上に説明したテレビ受信機３０によると、受信するべき選局チャンネルに隣接するチャンネルの放送信号をトラップするための低周波数側トラッ手段プ６、及び高周波数側トラップ手段７を備えている。
【００９５】
そして、テレビ受信機３０は、低周波数側トラップ手段６によるトラップをオンするための第一のトラップ用スイッチ手段１及び高周波数側トラップ手段７によるトラップをオンするための第二のトラップ用スイッチ手段２を備えている。
【００９６】
そして、テレビ受信機３０は、受信するべき選局チャンネルに対する隣接チャンネルの存在を判別し、隣接チャンネルの存在に応じて第一のトラップ用スイッチ手段１及び第二のトラップ用スイッチ手段２の動作を制御する。
【００９７】
即ち、テレビ受信機３０は、選局チャンネルに対する隣接チャンネルの存在の状況に応じて、トラップ手段６、７にトラップするべき隣接チャンネルの周波数を設定するとともに、スイッチ手段１、２のオン、オフの制御を行う。
【００９８】
このように、テレビ受信機３０は、選局チャンネルに隣接チャンネルが存在する場合にはトラップ手段６、７を動作させる処理を行い、隣接チャンネルが存在しない場合にはトラップ手段６、７を動作させる処理を行わない。
【００９９】
これにより、隣接チャンネルが存在する場合には、トラップ手段によって隣接チャンネルの放送信号をトラップすることができ、選局チャンネルのテレビ放送の映像や音声の乱れを防ぐことができる。
【０１００】
一方、隣接チャンネルが存在しない場合にはトラップ手段を動作させないので、不要にトラップ手段を動作させることに伴う電力消費等を防ぐことができる。また、隣接チャンネルが存在しない場合にはトラップ手段を動作させないことにより、以下の利点もある。
【０１０１】
即ち、トラップ手段を常に動作させると選局チャンネルの映像や音声に影響を及ぼし、映像や音声の質の低下を招くおそれがある。テレビ受信機３０では、トラップ手段を動作させる必要がない場合には動作させないので、かかる場合における映像や音声の質の低下を防止することができる。
【０１０２】
また、テレビ受信機３０によると、隣接チャンネルの放送信号をトラップすることによって隣接チャンネルの影響を防ぐので、隣接チャンネルの音声信号による影響を有効に防止することもできる。
【０１０３】
例えば、チューナに対するＡＧＣ機能を利用して隣接チャンネルの影響を防止する場合であれば、隣接チャンネルの映像信号による影響を防止できるが、音声信号による影響を防止することはできない。テレビ受信機３０によると、隣接チャンネルの音声信号をトラップできるので、音声信号による影響を防ぐこともできる。
【０１０４】
なお、以上のテレビ受信機３０による説明では、低周波数側隣接チャンネルについては音声信号をトラップし、高周波数側隣接チャンネルについては映像信号をトラップする例を挙げて説明した。
【０１０５】
本発明を実施するにあたり、低周波数側隣接チャンネルについてのトラップの対象は音声信号に限られず、高周波数側隣接チャンネルについてのトラップの対象は映像信号に限られない。
【０１０６】
即ち、本発明を実施するにあたって、選局チャンネルの放送信号に干渉するおそれのある隣接チャンネルの放送信号の全てがトラップの対象となる。そして、トラップするべき放送信号が選局チャンネルの低周波数側隣接チャンネルの放送信号であれば、このトラップするべき放送信号の周波数が低周波数側トラップ手段に設定される。
【０１０７】
また、トラップするべき放送信号が選局チャンネルの高周波数側隣接チャンネルの放送信号であれば、このトラップするべき放送信号の周波数が高周波数側トラップ手段に設定される。
【図面の簡単な説明】
【０１０８】
【図１】本発明の一実施形態であるテレビ受信機の概略構成を示すブロック図である。
【図２】チャンネルのプリセットに伴って形成されるチャンネルマップの一例である。
【図３】受信可能なチャンネルの周波数の一例である。
【図４】隣接チャンネルの放送信号をトラップしたときの放送信号の波形を示す図である。
【図５】テレビ受信機の動作の一例を示すフローチャートである。
【符号の説明】
【０１０９】
１    第一のトラップ用スイッチ手段
２    第二のトラップ用スイッチ手段
３    チューナ
６    低周波数側トラップ手段
７    高周波数側トラップ手段
８    ＳＡＷフィルタ
１１    第一のトラップ回路
１２    第二のトラップ回路
１５    制御部
１７    選局処理部
１８    隣接チャンネル判別処理部
１９    チャンネル設定処理部
２０    トラップ制御部
２１    外部メモリ
２５    制御用マイコン
３０    テレビ受信機
【図１】
2005260865.tif 000003
【図２】
2005260865.tif 000004
【図３】
2005260865.tif 000005
【図４】
2005260865.tif 000006
【図５】
2005260865.tif 000007